(57)【特許請求の範囲】
【請求項１】
造営面に取り付けられる器具本体と、
前記器具本体に対して前記造営面と反対側に配置され、光源からの光を前記造営面と反対側の照明空間に照射する光源ユニットと、
前記光源の光軸に対して斜めに傾斜し、前記光源から斜めに放射された光を前記照明空間に向けて反射させる第１の反射部とを備え、
前記光源ユニットは、前記光源と、前記光源の光軸に対して斜めに傾斜し、前記光源から斜めに放射された光を前記照明空間に向けて反射させる第２の反射部と、拡散性を有し前記光源を覆うようにして配置されるカバーとを具備し、
前記第１の反射部は、前記光源の光軸に対する傾斜角度が前記第２の反射部よりも小さく設定されており、
前記カバーは、所定の曲率で形成された曲面からなり、前記光源に対して前記造営面と反対側に配置される主拡散面を有し、
前記第１の反射部における前記照明空間側の端縁には、前記造営面と平行な方向に延出する平坦面が設けられ、
前記平坦面は、前記主拡散面に沿って延長された曲面に対して前記光源ユニットに近い側に位置していることを特徴とする照明器具。
【発明の詳細な説明】
【技術分野】
【０００１】
本発明は、照明器具に関するものである。
【背景技術】
【０００２】
従来より、天井に取り付けられて室内を照明する照明器具が提供されている（例えば特許文献１参照）。この照明器具は、下面が開口する矩形箱状の器具本体と、複数のＬＥＤが搭載され、所定の間隔を空けて器具本体内に横並びに配置される複数のＬＥＤランプと、隣接するＬＥＤランプの間にそれぞれ配置され、ＬＥＤからの光を下方に反射させる複数の反射板とを備える。この照明器具では、ＬＥＤから放射された光の一部はそのまま下方に照射され、残りの光は反射板で反射されて下方に照射されるので、反射光の分だけ下方への照射光量を増加させることができる。
【先行技術文献】
【特許文献】
【０００３】
【特許文献１】実用新案登録第３１４７５７７号公報（段落［０００８］−段落［００１４］、及び、第１図−第８図）
【発明の概要】
【発明が解決しようとする課題】
【０００４】
上述の特許文献１に示した照明器具では、ＬＥＤからの光を反射板で反射させることで下方への照射光量を増加させることができるものの、器具本体の外縁部分にはＬＥＤからの光が届き難く、その結果、上記外縁部分が暗くなってしまい、光むらが生じてしまうという問題があった。
【０００５】
本発明は上記問題点に鑑みて為されたものであり、その目的とするところは、照明空間への照射光量を確保しつつ、光むらを低減させた小型の照明器具を提供することにある。
【課題を解決するための手段】
【０００６】
本発明の照明器具は、造営面に取り付けられる器具本体と、器具本体に対して造営面と反対側に配置され、光源からの光を造営面と反対側の照明空間に照射する光源ユニットと、光源の光軸に対して斜めに傾斜し、光源から斜めに放射された光を照明空間に向けて反射させる第１の反射部とを備える。光源ユニットは、光源と、光源の光軸に対して斜めに傾斜し、光源から斜めに放射された光を照明空間に向けて反射させる第２の反射部と、拡散性を有し光源を覆うようにして配置されるカバーとを具備する。第１の反射部は、光源の光軸に対する傾斜角度が前記第２の反射部よりも小さく設定されている。カバーは、所定の曲率で形成された曲面からなり、光源に対して造営面と反対側に配置される主拡散面を有する。第１の反射部における照明空間側の端縁には、造営面と平行な方向に延出する平坦面が設けられ、平坦面は、主拡散面に沿って延長された曲面に対して光源ユニットに近い側に位置している。
【発明の効果】
【０００７】
照明空間への照射光量を確保しつつ、光むらを低減させた小型の照明器具を提供することができるという効果がある。
【図面の簡単な説明】
【０００８】
【図１】本実施形態の照明器具の長手方向に沿った断面図である。
【図２】同上の施工手順を説明する説明図である。
【図３】同上の施工手順を説明する別の説明図である。
【図４】同上を示し、（ａ）は側面図、（ｂ）は下面図である。
【図５】同上に用いられる光源ユニットの分解斜視図である。
【発明を実施するための形態】
【０００９】
以下に、照明器具の実施形態を図１〜図５に基づいて説明する。本実施形態の照明器具Ａは、例えば図１に示すように天井面（造営面）１００に取り付けられ、照明空間たる室内を照明するために用いられる。
【００１０】
図１は本実施形態の照明器具Ａの長手方向に沿った断面図であり、この照明器具Ａは、器具本体１と、取付金具２と、前面カバー３と、光源ユニット４とを主要な構成として備える。
【００１１】
器具本体１は、図１〜図３に示すように、長尺且つ矩形板状の底面部１１と、底面部１１の幅方向（図１中の左右方向）における両端から底面部１１と直交する方向に折り曲げられた側壁部１２とで断面視Ｕ字状に形成されている。底面部１１には、器具本体１を天井面１００に取り付けるための取付ボルト（図示せず）が挿通されるねじ挿通孔（図示せず）を有する２個１組のボス部１３，１３が長手方向（図２中の左右方向）に３組設けられている。また各側壁部１２には、２個１組の係止孔１４，１４が長手方向における両端にそれぞれ設けられている。
【００１２】
取付金具２は、図１〜図３に示すように、矩形板状の底面部２１と、底面部２１の幅方向（図１中の左右方向）における両端から底面部２１と直交する方向に折り曲げられた側壁部２２とで略角樋状に形成されている。各側壁部２２には、器具本体１の各側壁部１２に設けられた２個１組の係止孔１４，１４に係止される２個１組の係止爪２３，２３が設けられている。また底面部２１には、前面カバー３を取り付けるための取付ねじ７がねじ込まれるねじ孔（図示せず）が設けられている。なお取付金具２は、器具本体１の長手方向（図２中の左右方向）における両端に１個ずつ取り付けられる。
【００１３】
前面カバー３は、図１〜図３に示すように、長尺状の底面部３６と、底面部３６の幅方向（図１中の左右方向）における両端から底面部３６と直交する方向に折り曲げられた側壁部３７とで略矩形箱状に形成されている。底面部３６には、光源ユニット４が収納される収納凹部３２が長手方向（図２中の左右方向）に沿って設けられており、収納凹部３２の底部には、取付ねじ７が挿通されるねじ挿通孔３３が長手方向における両端にそれぞれ設けられている（図４（ｂ）参照）。また、収納凹部３２の幅方向における両側壁からなる反射部３４，３４は、収納凹部３２の底部から離れるにつれて互いの間隔が広くなるように傾斜する傾斜面からなり、収納凹部３２内に収納された光源ユニット４から斜めに放射された光を照明空間（図１中の下側の空間）側に反射させる。また各反射部３４の開口側の端縁と、対応する側壁部３７との間には、天井面１００と平行な方向（発光ダイオードの光軸と直交する方向）に延設された平坦面３５が設けられている。ここに本実施形態では、反射部３４により第１の反射部が構成されている。
【００１４】
光源ユニット４は、図１及び図５に示すように、光源部４４と、放熱部材４２と、絶縁部材４３と、取付部材４１と、カバー４５とを主要な構成として備える。
【００１５】
光源部４４は、絶縁材料（例えば、セラミック）によって長尺且つ矩形板状に形成された実装基板４４ａと、実装基板４４ａの表面（図５中の下側の面）に実装される複数個の発光ダイオード（図示せず）と、実装基板４４ａの表面に形成される導電体（図示せず）とを有する。複数個の発光ダイオードは、実装基板４４ａの長手方向に沿って等間隔且つ直線状に並べて実装され、透光性を有し且つ蛍光材料が混合された合成樹脂製の封止部材４４ｂで封止されている。すなわち、発光ダイオードから放射される光（例えば、青色光）の一部が蛍光材料で波長変換され、波長変換された光（例えば、黄色光）と波長変換されなかった光（青色光）が混ざることにより、光源部４４から放射される光が全体として白色光となる。
【００１６】
放熱部材４２は、長尺の平板状に形成された主片４２ａと、主片４２ａの幅方向における両端から主片４２ａと直交する方向に延設された一対の側片４２ｂとが熱伝導度の高い材料（例えば、アルミ板）によって一体に形成されている。主片４２ａの一方の面（光源部４４が載置される面。以下、載置面という。）には、光源部４４に近づく向きに突出する複数（図５では２個）の突条部４２ｃが長手方向に沿って設けられている。また各側片４２ｂには、複数（図５では３個）の係合突起４２ｄが長手方向に沿って設けられている。
【００１７】
絶縁部材４３は、放熱部材４２の主片４２ａと光源部４４の実装基板４４ａの間に介装される長尺且つ平板状の主部４３ａと、主部４３ａの幅方向における両端から主部４３ａから離れるにつれて互いの間隔が広くなるように傾斜する一対の反射部４３ｂ，４３ｂとが一体に形成された合成樹脂成形品からなる。一対の反射部４３ｂ，４３ｂは、光源部４４に対向する側の表面が反射面となっており、光源部４４から斜めに放射された光を照明空間（図１中の下側の空間）側に反射させる。また、絶縁部材４３が放熱部材４２の主片４２ａに載置された状態において、突条部４２ｃが挿通される長孔状の挿通孔４３ｃが主部４３ａの中央に貫通している。さらに絶縁部材４３の長手方向の一端側には、放熱部材４２の端部を塞ぐ壁部４３ｄが突設されている。
【００１８】
また絶縁部材４３は、放熱部材４２の主片４２ａに設けられた複数の位置決め孔４２ｅにそれぞれ挿通される複数の位置決め突起４３ｅを有している。位置決め突起４３ｅは、主部４３ａの幅方向における両端から放熱部材４２の主片４２ａに近付く向きに突出する円柱形状に形成されるとともに、主部４３ａの長手方向に沿って等間隔に配設されている。而して、主片４２ａの位置決め孔４２ｅにそれぞれ位置決め突起４３ｅが挿通され、且つ、主部４３ａの挿通孔４３ｃに突条部４２ｃが挿通されることにより、放熱部材４２に対して絶縁部材４３が位置決めされる。なお、位置決め突起４３ｅと反対向きに突出する円柱状の突起４３ｆが各位置決め突起４３ｅと一体に形成されており、これらの突起４３ｆにより、光源部４４並びに放熱部材４２を前方及び側方から覆う透光性のカバー４５が支持される。
【００１９】
さらに各反射部４３ｂにおける反射面と反対側の面には係止爪４３ｇが突設されており、これらの係止爪４３ｇを放熱部材４２の側片４２ｂに設けられた係止孔４２ｆに挿入係止することで、放熱部材４２に対して絶縁部材４３が抜け止めされる（図１参照）。ここに本実施形態では、反射部４３ｂにより第２の反射部が構成されている。
【００２０】
取付部材４１は、長尺且つ矩形板状の底板４１ａと、底板４１ａの幅方向における両端から底板４１ａと直交する方向に折り曲げられた一対の側板４１ｂとが一体且つ略角樋状に形成されている。この取付部材４１は、放熱部材４２の側片４２ｂ，４２ｂ間に収納された状態で、かしめやねじなどの適当な方法によって放熱部材４２に固定される。
【００２１】
さらに、取付部材４１には取付金具４６を用いてレセプタクルコネクタ４７が取り付けられている。レセプタクルコネクタ４７は、光源部４４の導電体（図示せず）と電気的に接続された電線（図示せず）が接続される接続端子部４７ａと、プラグコネクタ５（図２参照）が差し込まれるコネクタ接続部４７ｂとを有している。プラグコネクタ５は電線６を介して点灯装置（図示せず）に接続されており、プラグコネクタ５をレセプタクルコネクタ４７に差込接続することで点灯装置と光源部４４とが電気的に接続され、点灯装置から光源部４４に給電されて光源部４４が発光（点灯）する。
【００２２】
取付金具４６は、レセプタクルコネクタ４７を保持する矩形枠状のコネクタ保持部４６ａと、コネクタ保持部４６ａの端部より曲げ起こされた略台形状の支持部４６ｂと、支持部４６ｂの先端より突出する一対の固定爪４６ｃとが一体に設けられている。この取付金具４６は、取付部材４１の底板４１ａの端部に形成された一対の固定溝４１ｄ（図５では片側のみ図示）に固定爪４６ｃが挿通され、且つ、支持部４６ｂを貫通するねじ挿通孔４６ｄに挿通されたねじ（図示せず）を底板４１ａの長手方向における両端に形成されたねじ孔４１ｃにねじ込むことで、取付金具４６が取付部材４１に固定される。
【００２３】
カバー４５は、アクリル樹脂やポリカーボネート樹脂などの透光性を有する合成樹脂材料により、所定の曲率で形成された曲面からなる底面部４５ａと底面部４５ａの周囲を囲む側壁部４５ｂとを有する長尺の矩形箱状に形成されている。また、カバー４５において長手方向に沿った一対の側壁部４５ｂには、放熱部材４２の側片４２ｂに設けられた複数の係合突起４２ｄが係脱自在に係合する複数の係合凹部４５ｃがそれぞれ設けられている（図１参照）。このカバー４５は、底面部４５ａの内面及び外面にそれぞれ凹凸突起を設けることで光源部４４から放射された光を拡散させる機能を有しており、底面部４５ａを通して放射された光源部４４からの光は広角に配光される。ここに本実施形態では、底面部４５ａにより主拡散面が構成されている。
【００２４】
次に、光源ユニット４の組立手順について、図１及び図５を参照しながら説明する。まず、光源部４４が一対の絶縁部材４３の各主部４３ａの載置面に載置され、接着やかしめなどの適当な方法によって各絶縁部材４３と結合される。
【００２５】
続いて、光源部４４と結合された一対の絶縁部材４３が放熱部材４２の主片４２ａに取り付けられる。このとき、絶縁部材４３に設けられた係止爪４３ｇが、放熱部材４２の側片４２ｂに設けられた係止孔４２ｆに挿入係止されることで、絶縁部材４３が放熱部材４２に対して抜け止めされる。そして、取付金具４６によってレセプタクルコネクタ４７が取り付けられた取付部材４１が、かしめやねじなどの適当な方法によって放熱部材４２に固定される。最後に、底面部４５ａを光源部４４に対向させる向きでカバー４５が放熱部材４２に被せられると、側壁部４５ｂの係合凹部４５ｃに側片４２ｂの係合突起４２ｄが係合して、カバー４５が放熱部材４２に結合されることで光源ユニット４の組み立てが完了する。
【００２６】
さらに、照明器具Ａの施工手順について、図２及び図３を参照しながら説明する。組み立てられた光源ユニット４は、取付金具４６及びレセプタブルコネクタ４７を前面カバー３の収納凹部３２の底部に設けられた開口部（図示せず）を通して上側（収納凹部３２と反対側）に配置した状態で、ねじなどの適当な方法によって前面カバー３に取り付けられる。なお本実施形態では、図１に示すように、前面カバー３に対して２個の光源ユニット４，４が横並びに取り付けられる。また、前面カバー３の長手方向における両端に設けられた各ねじ挿通孔３３に挿通させた取付ねじ７を対応する取付金具２のねじ孔（図示せず）にねじ込むことで、取付金具２，２が前面カバー３に取り付けられる。
【００２７】
そして、各ボス部１３のねじ挿通孔に挿通させた取付ボルト（図示せず）を用いて器具本体１を天井面１００に固定した後、各プラグコネクタ５を対応するレセプタクルコネクタ４７に接続するとともに、各取付金具２の係止爪２３，２３を器具本体１の対応する係止孔１４，１４にそれぞれ係止させることで、取付金具２，２を介して前面カバー３及び光源ユニット４，４が器具本体１に取り付けられ、照明器具Ａの施工が完了する（図１及び図４参照）。
【００２８】
ここで、図１は照明器具Ａを天井面１００に取り付けた状態の断面図である。光源部４４の光軸Ｐ１に対する前面カバー３の反射部３４の傾斜角度はθ１であり、また光源部４４の光軸Ｐ１に対する反射部４３ｂの傾斜角度はθ２（θ２＞θ１）である。つまり本実施形態では、内側に配置される反射部４３ｂの傾斜角度を外側に配置される反射部３４の傾斜角度よりも大きくすることで広角な配光を実現し、また外側に配置される反射部３４の傾斜角度を小さくすることで、器具全体の幅寸法を小さくすることができて照明器具Ａの小型化が図れる。
【００２９】
また図１中の二点鎖線は、カバー４５の底面部４５ａに沿って延長された曲面ｂを示しており、本実施形態では、この曲面ｂに対して光源ユニット４に近い側に前面カバー３の平坦面３５が位置している。そして、カバー４５と平坦面３５がこのような位置関係にあることで、カバー４５で拡散させた光を平坦面３５に向けて照射することができる。
【００３０】
而して本実施形態によれば、光源ユニット４から照射された光を反射部３４及び反射部４３ｂで反射させることで照明空間への照射光量を確保することができ、しかもカバー４５で拡散させた光を平坦面３５に向けて照射できることから、平坦面３５が暗くなることがなく光むらを低減することができる。
【００３１】
なお本実施形態では、光源ユニット４を２列に配置した長方形タイプの照明器具Ａを例に説明したが、例えば光源ユニット４を４列や８列に配置したスクエアタイプの照明器具であってもよく、本実施形態に限定されない。また本実施形態では、発光ダイオードを光源としているが、光源は発光ダイオードに限定されるものではなく、蛍光灯などであってもよい。さらに、光源ユニット４の個数は本実施形態に限定されるものではなく、１個でもいいし、３個以上であってもよい。
【符号の説明】
【００３２】
１  器具本体
３  前面カバー
４  光源ユニット
３２  収納凹部
３５  平坦面
４４  光源部
４５  カバー
４５ａ  底面部（主拡散面）
１００  天井面（造営面）
Ａ  照明器具
ｂ  曲面
【図１】
0005711635.tif 000002
【図２】
0005711635.tif 000003
【図３】
0005711635.tif 000004
【図４】
0005711635.tif 000005
【図５】
0005711635.tif 000006